(57)【要約】      （修正有）【課題】信頼性低下及びコスト増大を抑制する冷凍装置を提供する。【解決手段】空気調和機は、通電されると発熱する被冷却素子６０と、被冷却素子６０が実装されるプリント基板７１と、液冷媒配管と、被冷却素子６０を冷却する冷媒ジャケット２９とを備える。被冷却素子６０は、本体部６１と、本体部６１から延びる複数のリード６２とを有する。冷媒ジャケット２９は、本体部６１及び液冷媒配管の間に位置し、本体部６１及び液冷媒配管３５に当接する。被冷却素子６０は、本体部６１を冷媒ジャケット２９に固定された状態で、リード６２をプリント基板７１に接合されてプリント基板７１に実装される。被冷却素子６０は、プリント基板７１に実装された状態において、冷媒ジャケット２９及びプリント基板７１の間に位置する。リード６２は、その一部に、結露水の付着を抑制する防湿材９０がコーティングされる。【選択図】図８
2016109350.tif 000002
【特許請求の範囲】
【請求項１】
本体部（６１）と前記本体部から延びる複数のリード（６２、６２ａ）とを有し、通電されることで発熱する電子部品（６０）と、
前記電子部品が実装される基板（７１）と、
冷媒が流れる冷媒配管（３５）と、
前記本体部及び前記冷媒配管の間に位置して前記本体部及び前記冷媒配管に当接し、前記電子部品を冷却する冷媒ジャケット（２９）と、
を備え、
前記電子部品は、前記本体部を前記冷媒ジャケットに固定された状態で前記リードを前記基板に接合されることで前記基板に実装され、前記基板に実装された状態において前記冷媒ジャケット及び前記基板の間に位置し、
前記リードは、その一部に防湿材（９０）がコーティングされる、
冷凍装置（１）。
【請求項２】
前記リードは、前記基板に実装された時に前記本体部と前記基板との間に位置する部分に、前記防湿材がコーティングされる、
請求項１に記載の冷凍装置（１）。
【請求項３】
前記本体部においては、複数の前記リード（６２ａ）が間隔をおいて所定方向に並んでおり、
前記リードは、前記所定方向に延びる幅（Ｗ）を有し、他の部分（６２２）と比較して前記幅が大きい根元部分（６２１）に前記防湿材がコーティングされる、
請求項１又は２に記載の冷凍装置（１）。
【請求項４】
前記リードの一部（６２１）と、隣接する他の前記リードの一部（６２１）と、の間の空間は、前記防湿材で埋められる、
請求項１から３のいずれか１項に記載の冷凍装置（１）。
【発明の詳細な説明】
【技術分野】
【０００１】
本発明は、冷凍装置に関する。
【背景技術】
【０００２】
従来、冷媒配管及び基板に実装された電子部品と熱的に接続され、運転時に発熱する電子部品を冷却する冷媒ジャケットを備えた冷凍装置がある。例えば、特許文献１（特開２０１３−２２５５８２号公報）に開示される冷凍装置は、冷媒配管及びパワーデバイスの間において両者に当接する冷媒ジャケットを備えている。このような冷凍装置の組立時には、一般的に、組立性を考慮して、被冷却物である電子部品が、冷媒ジャケットの本体に固定された状態で基板に実装される。特許文献１では、被冷却物であるパワーデバイスが、基板に実装される前に冷媒ジャケットの本体にネジで締結され、冷媒ジャケットの本体に固定された状態で基板に実装されている。
【０００３】
ところで、このような冷凍装置では、冷媒配管内の冷媒温度及び外気温の状態によっては、冷媒ジャケットの表面や冷媒ジャケットによって冷却された電子部品に、結露水が付着する場合がある。結露水が電子部品のリードへ付着すると、開放されているはずの電流経路が短絡状態となり誤動作や故障を招くおそれがある。このような水の付着による短絡を抑制する手段としては、特許文献２（特開昭６０−１２４９９０号公報）において、電子部品が実装された基板全体を防湿材でコーティングする方法が提案されている。
【発明の開示】
【発明が解決しようとする課題】
【０００４】
しかし、特許文献１に特許文献２の方法を適用すると、冷媒ジャケットの本体を装着された状態の基板全体を防湿材でコーティングすることになり、係る場合には、防湿材でコーティングされることにより冷媒ジャケットの伝熱性能が低下して、信頼性が低下するおそれがある。
【０００５】
また、基板全体を防湿材でコーティングすると、電子部品の熱抵抗が大きくなり、運転時における電子部品の放熱量が低下して信頼性が低下することも想定される。
【０００６】
また、基板全体を防湿材でコーティングすると、防湿材の使用量に関連してコスト増大が懸念される。
【０００７】
そこで、本発明の課題は、信頼性低下及びコスト増大を抑制する冷凍装置を提供することである。
【課題を解決するための手段】
【０００８】
本発明の第１観点に係る冷凍装置は、電子部品と、基板と、冷媒配管と、冷媒ジャケットと、を備える。電子部品は、本体部と複数のリードとを有する。リードは、本体部から延びる。電子部品は、通電されることで発熱する。基板には、電子部品が実装される。冷媒配管は、その内部を冷媒が流れる。冷媒ジャケットは、本体部及び冷媒配管の間に位置する。冷媒ジャケットは、本体部及び冷媒配管に当接する。冷媒ジャケットは、電子部品を冷却する。電子部品は、本体部を冷媒ジャケットに固定された状態で、リードを基板に接合されることで、基板に実装される。電子部品は、基板に実装された状態において、冷媒ジャケット及び基板の間に位置する。リードは、その一部に、防湿材をコーティングされる。防湿材は、結露水の付着を抑制する。
【０００９】
本発明の第１観点に係る冷凍装置では、電子部品は、本体部を冷媒ジャケットに固定された状態でリードを基板に接合されることで基板に実装される。これにより、冷媒ジャケットを備えた冷凍装置の組立性が向上する。すなわち、電子部品を基板に実装した状態で、冷媒ジャケットを、本体部との適切な伝熱面積を確保しつつ配設することは困難である。一方で、基板に実装する前の電子部品の本体部を、冷媒ジャケットとの適当な伝熱面積を確保しつつ冷媒ジャケットに固定することは容易である。また、電子部品が冷媒ジャケットに固定された状態でリードを接合して基板に実装することは、特に難しくない。よって、組立性が向上する。
【００１０】
また、第１観点に係る冷凍装置では、リードの一部に結露水の付着を抑制する防湿材をコーティングされる。これにより、電子部品又は冷媒ジャケットに結露水が付着した場合であっても、リードには結露水が付着しにくくなる。その結果、結露水による短絡が抑制される。また、冷媒ジャケットには、防湿材がコーティングされないため、冷媒ジャケットの伝熱性能の低下が抑制される。また、電子部品の本体部には、防湿材がコーティングされないため、運転時において電子部品の放熱量が低下することも抑制される。よって、運転時における電子部品の冷却が促進されつつ結露水による短絡が抑制される。したがって、信頼性が向上する。また、防湿材が基板全体にコーティングされないため、防湿材の使用量が抑制され、コスト増大が抑制される。
【００１１】
本発明の第２観点に係る冷凍装置は、第１観点に係る冷凍装置であって、リードは、基板に実装された時に本体部と基板との間に位置する部分に、防湿材がコーティングされる。これにより、リードの結露水が流入しやすい部分に、結露水が付着しにくくなる。
【００１２】
すなわち、リードの、本体部と基板との間に位置する部分には、本体部から結露水が流入しやすいところ、当該部分に防湿材がコーティングされることで結露水が付着しにくくなる。よって、結露水による短絡が高精度に抑制される。
【００１３】
本発明の第３観点に係る冷凍装置は、第１観点又は第２観点に係る冷凍装置であって、本体部においては、複数のリードが、間隔をおいて所定方向に並んでいる。リードは、所定方向に延びる幅を有する。リードは、他の部分と比較して幅が大きい根元部分に、防湿材をコーティングされる。これにより、リードの、結露水による短絡が生じやすい部分に、結露水が付着しにくくなる。
【００１４】
すなわち、リードの根元部分には、本体部又は冷媒ジャケットから結露水が特に流入しやすい。また、係るリードの根元部分は、リードの他の部分と比較して幅が大きいことから、当該他の部分よりも、隣接する他のリードとの距離が小さい。このため、リードの根元部分に結露水が付着すると短絡が生じやすいところ、当該根元部分に防湿材がコーティングされることで結露水が付着しにくくなる。よって、結露水による短絡がさらに高精度に抑制される。
【００１５】
本発明の第４観点に係る冷凍装置は、第１観点から第３観点のいずれかに係る冷凍装置であって、リードの一部と、隣接する他のリードの一部と、の間の空間は、防湿材で埋められる。これにより、リードの、結露水による短絡が特に生じやすい部分に、結露水が付着しにくくなる。
【００１６】
すなわち、電子部品の各リードに防湿材がコーティングされた場合、互いに特に近接する一対のリードによって形成される空間は、防湿材で埋められる。換言すると、防湿材で埋められる空間を形成する一対のリードは特に近接しており、係るリードに結露水が付着すると、特に短絡が生じやすい。第４観点に係る冷凍装置では、リードの一部と、隣接する他のリードの一部と、の間の空間は、防湿材で埋められる。つまり、隣接する他のリードと特に近接するリードの特定の部分には、防湿材がコーティングされる。その結果、リードの、結露水による短絡が特に生じやすい部分に、結露水が付着しにくくなる。よって、結露水による短絡が、さらに高精度に抑制される。
【００１７】
なお、電子部品が３本以上のリードを有する場合には、隣接する一対のリードによって形成される空間は複数形成されうるが、必ずしも全ての空間が防湿材で埋められる必要はない。
【発明の効果】
【００１８】
本発明の第１観点に係る冷凍装置では、組立性が向上するとともに、運転時における電子部品の冷却を促進しつつ結露水による短絡が抑制され、信頼性が向上する。また、防湿材の使用量が抑制され、コスト増大が抑制される。
【００１９】
本発明の第２観点に係る冷凍装置では、リードの結露水が流入しやすい部分に結露水が付着しにくくなり、結露水による短絡が高精度に抑制される。
【００２０】
本発明の第３観点に係る冷凍装置では、リードの結露水による短絡が生じやすい部分に結露水が付着しにくくなり、結露水による短絡がさらに高精度に抑制される。
【００２１】
本発明の第４観点に係る冷凍装置では、リードの結露水による短絡が特に生じやすい部分に結露水が付着しにくくなり、結露水による短絡がさらに高精度に抑制される。
【図面の簡単な説明】
【００２２】
【図１】本発明にかかる冷凍装置の一実施形態としての空気調和装置の概略構成図。
【図２】室外ユニットの天板を取り外した状態を示す平面図。
【図３】室外ユニットの第１前板及び第２前板を取り外した状態を示す正面図。
【図４】電源回路の概略構成図。
【図５】プリント基板の正面図。
【図６】冷媒ジャケットの正面図。
【図７】図６のVII-VII線断面図。
【図８】左側面視による図６の拡大図。
【図９】図８のIX部分の拡大図。
【図１０】図９のX部分の拡大図。
【図１１】冷媒ジャケットに被冷却素子を固定した状態を示す斜視図。
【発明を実施するための形態】
【００２３】
以下、図面を参照しながら、本発明の一実施形態に係る空気調和機１について説明する。なお、以下の実施形態は、本発明の具体例であって、本発明の技術的範囲を限定するものではなく、発明の要旨を逸脱しない範囲で適宜変更が可能である。また、以下の実施形態において、上、下、左、右、正面（前）又は背面（後）といった方向は、図２、図３及び図５から図１１に示す方向を意味する。
【００２４】
（１）空気調和機１
図１は、本発明にかかる冷凍装置の一実施形態としての空気調和機１の概略構成図である。
【００２５】
空気調和機１は、冷媒配管方式の空気調和装置であって、蒸気圧縮方式の冷凍サイクル運転を行うことで、対象空間の空気調和を実現する。空気調和機１は、運転モードとして、冷房モード及び暖房モード等を有しており、選択された運転モードに応じて冷房運転又は暖房運転等を行う。空気調和機１は、室外ユニット２と、室内ユニット４と、を含む。空気調和機１では、室内ユニット４と室外ユニット２とが液冷媒連絡管５及びガス冷媒連絡管６で接続されることで、冷媒回路１０が構成されている。
【００２６】
（１−１）室外ユニット２
室外ユニット２は、室外に設置されており、冷媒回路１０の一部を構成している。室外ユニット２は、外郭を構成するユニットケーシング２０を有している（図２及び図３を参照）。室外ユニット２は、ユニットケーシング２０内に、主として、圧縮機２１と、四路切換弁２２と、室外熱交換器２３と、冷媒ジャケット２９と、膨張弁２６と、液側閉鎖弁２７と、ガス側閉鎖弁２８と、室外ファン３６と、室外制御部３７と、を有している。
【００２７】
圧縮機２１は、吸入した低圧の冷媒を、圧縮して高圧の冷媒とする機器である。圧縮機２１は、圧縮機モータ２１ａと、圧縮機モータ２１ａに連動して回転駆動するロータリ式やスクロール式の圧縮要素（図示省略）と、を有している。圧縮機２１は、吸入側に吸入配管３１が接続されており、吐出側に吐出配管３２が接続されている。吸入配管３１は、圧縮機２１の吸入側と四路切換弁２２とを接続する冷媒配管である。吐出配管３２は、圧縮機２１の吐出側と四路切換弁２２とを接続する冷媒配管である。
【００２８】
四路切換弁２２は、冷媒回路１０における冷媒の流れの方向を切り換えるための切換弁である。四路切換弁２２は、吸入配管３１、吐出配管３２、第１ガス冷媒配管３３及び第２ガス冷媒配管３４と接続されている。第１ガス冷媒配管３３は、四路切換弁２２と室外熱交換器２３のガス側とを接続する冷媒配管である。第２ガス冷媒配管３４は、四路切換弁２２とガス側閉鎖弁２８とを接続する冷媒配管である。四路切換弁２２は、冷房運転時には、吐出配管３２と第１ガス冷媒配管３３とが接続されるとともに、吸入配管３１と第２ガス冷媒配管３４とが接続されるように、流路を切り換える（図１の四路切換弁２２の実線を参照）。また、四路切換弁２２は、暖房運転時には、吐出配管３２と第２ガス冷媒配管３４とが接続されるとともに、吸入配管３１と第１ガス冷媒配管３３とが接続されるように、流路を切り換える（図１の四路切換弁２２の破線を参照）。
【００２９】
室外熱交換器２３は、一端が第１ガス冷媒配管３３に接続されるとともに他端が液冷媒配管３５に接続される伝熱管（図示省略）を有している。液冷媒配管３５（特許請求の範囲記載の「冷媒配管」に相当）は、室外熱交換器２３の液側と液冷媒連絡管５とを接続する冷媒配管である。室外熱交換器２３は、運転時において、伝熱管内の冷媒と、室外ファン３６によって生成される室外空気流（後述）と、が熱交換可能なように構成されている。室外熱交換器２３は、冷房運転時には冷媒の凝縮器又は放熱器として機能し、暖房運転時には冷媒の蒸発器として機能する。
【００３０】
膨張弁２６は、高圧の冷媒を減圧する。膨張弁２６は、例えば運転状況に応じて開度が調整される電動弁である。膨張弁２６は、液冷媒配管３５上に配置されている。膨張弁２６は、冷房運転時には、室外熱交換器２３において凝縮又は放熱した高圧の冷媒を減圧して低圧の冷媒とする。また、膨張弁２６は、暖房運転時には、室内熱交換器４１において凝縮又は放熱した高圧の冷媒を減圧して低圧の冷媒とする。
【００３１】
冷媒ジャケット２９は、冷媒回路１０を循環する冷媒（ここでは、液冷媒配管３５を流れる冷媒）によって、電装品ユニット７０（後述）に含まれる電子部品のうち発熱が大きく冷却が必要な被冷却素子６０（特許請求の範囲記載の「電子部品」に相当）を冷却する熱交換器である。冷媒ジャケット２９は、冷房運転時には、室外熱交換器２３において凝縮又は放熱した高圧の冷媒（すなわち、室外熱交換器２３と膨張弁２６との間を流れる冷媒）によって被冷却素子６０（１０３、１４２ａ〜１４２ｃ、１４３ａ〜１４３ｃ及び１０６）を冷却する。また、冷媒ジャケット２９は、暖房運転時には、膨張弁２６よって減圧された低圧の冷媒（すなわち、膨張弁２６と室外熱交換器２３との間を流れる冷媒）によって被冷却素子６０を冷却する。
【００３２】
液側閉鎖弁２７は、液冷媒連絡管５及び液冷媒配管３５に接続される手動の弁である。ガス側閉鎖弁２８は、ガス冷媒連絡管６及び第２ガス冷媒配管３４に接続される手動の弁である。
【００３３】
室外ファン３６は、例えばプロペラファンである。室外ファン３６は、室外ファンモータ３６ａの出力軸に接続されており、室外ファンモータ３６ａに連動して駆動する。室外ファン３６は、駆動すると、外部からユニットケーシング２０内部に流入し室外熱交換器２３を通過してからユニットケーシング２０外へ流出する室外空気流を生成する。室外空気流は、上述のように、室外熱交換器２３を流れる冷媒の冷却源又は加熱源である。
【００３４】
室外制御部３７は、ＣＰＵやメモリ等で構成されるマイクロコンピュータである。室外制御部３７は、室外ユニット２における各部の動作を制御する。室外制御部３７は、ケーブルＣＢ１を介して室内制御部４３と接続されており、相互に信号の送受信を行う。室外制御部３７は、室内制御部４３から所定の信号を受信すると、当該信号に対応する処理を行う。室外制御部３７は、電装品ユニット７０に配置されている。
【００３５】
（１−２）室内ユニット４
室内ユニット４は、例えば、いわゆる天井埋込み型、天井吊下げ型又は壁掛け型の室内機である。室内ユニット４は、冷媒回路１０の一部を構成している。室内ユニット４は、主として、室内熱交換器４１と、室内ファン４２と、室内制御部４３と、を有している。
【００３６】
室内熱交換器４１は、一端が液冷媒連絡管５に接続されるとともに他端がガス冷媒連絡管６に接続される伝熱管（図示省略）を有している。室内熱交換器４１は、運転時において、伝熱管内の冷媒と、室内ファン４２によって生成される室内空気流（後述）と、が熱交換可能なように構成されている。室内熱交換器４１は、冷房運転時には冷媒の蒸発器として機能し、暖房運転時には冷媒の凝縮器又は放熱器として機能する。
【００３７】
室内ファン４２は、例えばプロペラファンや多翼ファンであり、室内ファンモータ４２ａの出力軸に接続されている。室内ファン４２は、室内ファンモータ４２ａに連動して駆動する。室内ファン４２は、駆動すると、室内ユニット４内に流入して室内熱交換器４１を通過した後に室内ユニット４外に流出する室内空気流を生成する。室内空気流は、上述のように、室内熱交換器４１を流れる冷媒の冷却源又は加熱源である。
【００３８】
室内制御部４３は、ＣＰＵやメモリ等で構成されるマイクロコンピュータである。室内制御部４３は、室内ユニット４における各部の動作を制御する。室内制御部４３は、室外制御部３７又はリモコン（図示省略）との間で信号の送受信を行い、所定の信号を受信すると当該信号に対応する処理を行う。
【００３９】
（１−３）液冷媒連絡管５、ガス冷媒連絡管６
液冷媒連絡管５及びガス冷媒連絡管６は、空気調和機１を設置場所に設置する際に、現地にて施工される冷媒配管である。液冷媒連絡管５及びガス冷媒連絡管６は、設置場所や設置条件に応じて、種々の長さや管径を有するものが使用される。
【００４０】
（２）冷媒回路１０における冷媒の流れ
（２−１）冷房運転時における冷媒の流れ
冷房運転時には、四路切換弁２２が冷房サイクル状態（図１の実線で示される状態）に切り換えられる。当該状態で圧縮機２１が駆動すると、低圧のガス冷媒が、圧縮機２１に吸入され、圧縮されて高圧のガス冷媒となる。圧縮機２１から吐出された高圧のガス冷媒は、四路切換弁２２を通じて、室外熱交換器２３へ送られる。室外熱交換器２３に送られた高圧のガス冷媒は、室外熱交換器２３において、室外ファン３６によって生成される室外空気流と熱交換を行い、凝縮して高圧の液冷媒になる。室外熱交換器２３において凝縮した高圧の液冷媒は、液冷媒配管３５へ送られる。
【００４１】
液冷媒配管３５に送られた高圧の液冷媒は、冷媒ジャケット２９において、被冷却素子６０（１０３、１４２ａ〜１４２ｃ、１４３ａ〜１４３ｃ及び１０６）と熱交換を行う。このとき、被冷却素子６０は、液冷媒配管３５を流れる冷媒の流量（すなわち冷媒循環量）及び温度に応じて、冷却される。これにより、運転時において、被冷却素子６０の温度が、正常に動作可能な温度範囲である動作温度を超えて上昇することが抑制される。冷媒ジャケット２９において被冷却素子６０と熱交換した高圧の液冷媒は、膨張弁２６に送られる。
【００４２】
膨張弁２６に送られた高圧の液冷媒は、膨張弁２６において減圧されて、低圧の気液二相状態の冷媒となる。膨張弁２６で減圧された低圧の気液二相状態の冷媒は、液側閉鎖弁２７及び液冷媒連絡管５を通じて、室内熱交換器４１に送られる。
【００４３】
室内熱交換器４１に送られた低圧の気液二相状態の冷媒は、室内熱交換器４１において、室内ファン４２によって生成される室内空気流と熱交換を行い、蒸発して低圧のガス冷媒となる。室内熱交換器４１において蒸発した低圧のガス冷媒は、ガス冷媒連絡管６、ガス側閉鎖弁２８及び四路切換弁２２を通じて、再び圧縮機２１に吸入される。
【００４４】
（２−２）暖房運転時における冷媒の流れ
暖房運転時には、四路切換弁２２が暖房サイクル状態（図１の破線で示される状態）に切り換えられる。当該状態で圧縮機２１が駆動すると、低圧のガス冷媒が、圧縮機２１に吸入され、圧縮されて高圧のガス冷媒となる。圧縮機２１から吐出された高圧のガス冷媒は、四路切換弁２２、ガス側閉鎖弁２８及びガス冷媒連絡管６を通じて、室内熱交換器４１に送られる。室内熱交換器４１に送られた高圧のガス冷媒は、室内熱交換器４１において、室内ファン４２によって生成される室内空気流と熱交換を行い、凝縮して高圧の液冷媒になる。室内熱交換器４１で凝縮した高圧の液冷媒は、液冷媒連絡管５及び液側閉鎖弁２７を通じて、膨張弁２６に送られる。膨張弁２６に送られた高圧の液冷媒は、膨張弁２６において減圧されて、低圧の気液二相状態の冷媒となる。膨張弁２６で減圧された低圧の気液二相状態の冷媒は、冷媒ジャケット２９に送られる。
【００４５】
液冷媒配管３５に送られた低圧の気液二相状態の冷媒は、冷媒ジャケット２９において、被冷却素子６０（１０３、１４２ａ〜１４２ｃ、１４３ａ〜１４３ｃ及び１０６）と熱交換を行う。このとき、被冷却素子６０は、液冷媒配管３５を流れる冷媒の流量（すなわち冷媒循環量）及び温度に応じて、冷却される。これにより、運転時において、被冷却素子６０の温度が、正常に動作可能な温度範囲である動作温度を超えて上昇することが抑制される。冷媒ジャケット２９において被冷却素子６０と熱交換した気液二相状態の冷媒は、室外熱交換器２３に送られる。
【００４６】
室外熱交換器２３に送られた低圧の気液二相状態の冷媒は、室外熱交換器２３において、室外ファン３６によって生成される室外空気流と熱交換を行い、蒸発して低圧のガス冷媒になる。室外熱交換器２３で蒸発した低圧のガス冷媒は、四路切換弁２２を通じて、再び圧縮機２１に吸入される。
【００４７】
（３）室外ユニット２の詳細
図２は、室外ユニット２の天板５６を取り外した状態の平面図である。図３は、室外ユニット２の第１前板５４及び第２前板５５を取り外した状態を示す正面図である。
【００４８】
室外ユニット２は、略直方体状のユニットケーシング２０内に、仕切板２０１を有している。仕切板２０１は、上下方向（鉛直方向）に延びており、ユニットケーシング２０の内部空間を左右に分割している。これにより、ユニットケーシング２０内には、送風機室Ｓ１と機械室Ｓ２とが形成されている。送風機室Ｓ１はユニットケーシング２０の右側に形成され、機械室Ｓ２はユニットケーシング２０の左側に形成されている。なお、送風機室Ｓ１及び機械室Ｓ２の位置は、置き換えられてもよい。
【００４９】
ユニットケーシング２０の背面及び右側面には、室外空気流を内部へ取り込む吸気口（図示省略）が形成されている。また、ユニットケーシング２０の正面には、室外空気流を排出する排気口（図示省略）が形成されている。
【００５０】
ユニットケーシング２０は、主として、底板５１と、第１側板５２と、第２側板５３と、第１前板５４と、第２前板５５と、天板５６と、を有している。
【００５１】
底板５１は、ユニットケーシング２０の底面部分を構成する板状部材である。底板５１の下側には、現地据付面に固定される基礎脚５７が設けられている。
【００５２】
第１側板５２は、ユニットケーシング２０の送風機室Ｓ１の側面部分を構成する板状部材である。第１側板５２は、その下部が底板５１に固定されている。
【００５３】
第２側板５３は、ユニットケーシング２０の機械室Ｓ２の側面部分の一部と、ユニットケーシング２０の機械室Ｓ２の背面部分とを構成する板状部材である。第２側板５３は、その下部が底板５１に固定されている。
【００５４】
第１前板５４は、ユニットケーシング２０の送風機室Ｓ１の正面部分を構成する板状部材である。第１前板５４は、その下部が底板５１に固定され、その右側の端部が第１側板５２の正面側の端部に固定されている。
【００５５】
第２前板５５は、ユニットケーシング２０の機械室Ｓ２の正面部分と、ユニットケーシング２０の機械室Ｓ２の側面部分の一部とを構成する板状部材である。第２前板５５は、その右側の端部が第１前板５４に固定され、その背面側の端部が第２側板５３に固定されている。
【００５６】
天板５６は、ユニットケーシング２０の天面部分を構成する板状部材である。天板５６は、第１側板５２、第２側板５３及び第１前板５４に固定されている。
【００５７】
ユニットケーシング２０の送風機室Ｓ１内には、略Ｌ字形状の室外熱交換器２３が、ユニットケーシング２０の背面及び右側面に沿って配置されている。また、送風機室Ｓ１内には、室外熱交換器２３の前面側に、室外ファン３６が配置されている。
【００５８】
ユニットケーシング２０の機械室Ｓ２内には、縦型円筒形状の圧縮機２１が配置されている。また、機械室Ｓ２内には、電装品ユニット７０が、圧縮機２１の上方に配置されている。電装品ユニット７０は、各種の電装品を含むユニットであり、室外制御部３７を含んでいる。また、機械室Ｓ２内には、縦長形状の冷媒ジャケット２９と、液冷媒配管３５と、が配置されている。液冷媒配管３５の一部は、冷媒ジャケット２９に収容されている。液冷媒配管３５は、機械室Ｓ２内において、鉛直方向に延びて冷媒ジャケット２９を通過後、上下方向に折り返して再び冷媒ジャケット２９を通過している。
【００５９】
冷媒ジャケット２９は、プリント基板７１に固定されている。冷媒ジャケット２９は、プリント基板７１の主面７１ａに実装された被冷却素子６０を前面側から覆うように配置されている。冷媒ジャケット２９は、被冷却素子６０の本体部６１（後述）と、液冷媒配管３５との間に位置して、本体部６１及び液冷媒配管３５と適当な伝熱面積を有するように当接している。すなわち、冷媒ジャケット２９は、本体部６１及び液冷媒配管３５と熱的に接続されている。
【００６０】
（４）電装品ユニット７０の詳細
図４は、電源回路１００の概略構成図である。
【００６１】
電装品ユニット７０は、主として、プリント基板７１と、室外制御部３７や電源回路１００等を構成する複数の要素と、を有している。室外制御部３７や電源回路１００等を構成する複数の要素は、プリント基板７１の主面７１ａ（ここではプリント基板７１の正面側の平面）に実装されている。
【００６２】
（４−１）プリント基板７１
プリント基板７１は、正面側に主面７１ａを有しており、主面７１ａにおいて複数の要素を実装されている。プリント基板７１は、機械室Ｓ２内において、鉛直方向に平行な姿勢（すなわち、厚み方向が水平方向に延びる姿勢）で配置されている。なお、プリント基板７１は、鉛直方向に対して多少傾斜した姿勢で配置されてもよいし、水平方向に対して平行な姿勢で配置されてもよい。
【００６３】
（４−２）電源回路１００
電源回路１００は、圧縮機モータ２１ａへ駆動電源を供給するための電気回路である。電源回路１００は、主として、入力ユニット１０２と、整流ユニット１０３と、力率改善ユニット１０４と、平滑ユニット１０５と、インバータユニット１０６と、出力ユニット１０７と、を有している。
【００６４】
入力ユニット１０２は、商用電源などの外部電源１０１から交流電源を入力される端子部である。
【００６５】
整流ユニット１０３は、入力ユニット１０２に入力された交流電圧を直流電圧に整流する。整流ユニット１０３は、入力ユニット１０２に接続されたダイオードブリッジを含んでいる。ダイオードブリッジは、通電時における発熱量が大きいダイオードを複数（ここでは４つ）有している。本実施形態において、ダイオードブリッジは、冷媒ジャケット２９によって冷却される被冷却素子６０に該当する。
【００６６】
力率改善ユニット１０４は、電源回路１００の力率を改善する。力率改善ユニット１０４は、整流ユニット１０３と平滑ユニット１０５の間に配置されている。力率改善ユニット１０４は、主として、互いに並列に接続される複数（ここでは、３つ）のリアクトル（１４１ａ、１４１ｂ及び１４１ｃ）、ダイオード（１４２ａ、１４２ｂ及び１４２ｃ）、及びスイッチング素子（１４３ａ、１４３ｂ及び１４３ｃ）を含んでいる。ダイオード１４２ａ〜１４２ｃ及びスイッチング素子１４３ａ〜１４３ｃは、通電時における発熱量が大きく、本実施形態においては冷媒ジャケット２９によって冷却される被冷却素子６０に該当する。スイッチング素子１４３ａ〜１４３ｃの動作は、室外制御部３７によって制御される。なお、力率改善ユニット１０４に含まれるリアクトル、ダイオード及びスイッチング素子のそれぞれは、３つ未満であってもよいし４つ以上であってもよい。
【００６７】
平滑ユニット１０５は、力率改善ユニット１０４を介して入力される直流電圧を平滑する。平滑ユニット１０５は、力率改善ユニット１０４とインバータユニット１０６の間に配置されている。平滑ユニット１０５は、複数（ここでは、３つ）の平滑コンデンサ１０５ａ、１０５ｂ及び１０５ｃを含んでいる。
【００６８】
インバータユニット１０６は、平滑ユニット１０５で平滑された直流電圧を供給され、圧縮機モータ２１ａに供給する駆動電圧ＳＵ、ＳＶ及びＳＷを生成する。インバータユニット１０６は、平滑ユニット１０５と出力ユニット１０７との間に配置されている。インバータユニット１０６は、通電時における発熱量が大きいIGBT等のスイッチング素子を複数（ここでは６つ）有している。本実施形態においては、インバータユニット１０６は、冷媒ジャケット２９によって冷却される被冷却素子６０に該当する。インバータユニット１０６の動作は、室外制御部３７によって制御される。
【００６９】
出力ユニット１０７は、インバータユニット１０６によって生成された駆動電圧ＳＵ、ＳＶ及びＳＷを圧縮機モータ２１ａに供給するための端子部である。
【００７０】
以上のように、電源回路１００は、力率改善ユニット１０４を有するインターリーブ型の電源回路である。また、電源回路１００は、冷媒ジャケット２９によって冷却される被冷却素子６０として、整流ユニット１０３と、ダイオード１４２ａ〜１４２ｃと、スイッチング素子１４３ａ〜１４３ｃと、インバータユニット１０６と、を含んでいる。
【００７１】
（４−３）プリント基板７１における各要素の配置態様
図５は、プリント基板７１の正面図である。
【００７２】
プリント基板７１の主面７１ａにおいては、強電部品群が左側の領域に実装されており、弱電部品群が右側の領域に実装されている。このように、強電部品群と弱電部品群とを実装する領域を分けることによって、弱電部品が強電部品から悪影響を受けにくくなっている。なお、強電部品群及び弱電部品群の実装される箇所については左右を置き換えられてもよい。
【００７３】
具体的に、主面７１ａの左側上部には入力ユニット１０２が配置されている。また、入力ユニット１０２の下方には、上方から下方に向かって整流ユニット１０３、ダイオード１４２ａ〜１４２ｃ、スイッチング素子１４３ａ〜１４３ｃ及びインバータユニット１０６が実装されている。このように、プリント基板７１においては、電源回路１００に含まれる被冷却素子６０である整流ユニット１０３、ダイオード１４２ａ〜１４２ｃ、スイッチング素子１４３ａ〜１４３ｃ及びインバータユニット１０６が、一方向（ここでは上下方向）に沿って、一列に並んでいる。より詳細には、電源回路１００に含まれる被冷却素子６０（１０３、１４２ａ〜１４２ｃ、１４３ａ〜１４３ｃ及び１０６）は、プリント基板７１において、電源回路１００の電流経路に沿った順に実装されている。
【００７４】
主面７１ａにおいて、ダイオード１４２ａ〜１４２ｃ及びスイッチング素子１４３ａ〜１４３ｃの右側には、リアクトル１４１ａ〜１４１ｃが実装されている。また、インバータユニット１０６の右側には、室外制御部３７が実装されている。このように、プリント基板７１の主面７１ａには、他の強電部品群とともにリアクトル１４１ａ〜１４１ｃ及び室外制御部３７が実装されている。
【００７５】
主面７１ａにおいて、ダイオード１４２ａ〜１４２ｃ及びスイッチング素子１４３ａ〜１４３ｃの左側には、平滑コンデンサ１０５ａ〜１０５ｃが実装されている。平滑コンデンサ１０５ｃの下方には出力ユニット１０７が配置されている。
【００７６】
（４−４）被冷却素子６０
図６は、冷媒ジャケット２９の正面図である。図７は、図６のVII-VII線断面図である。図８は、左側面視による図６の拡大図である。図９は、図８のIX部分の拡大図である。図１０は、図９のX部分の拡大図である。
【００７７】
被冷却素子６０は、通電時における発熱量が大きいパワーデバイスやパワーモジュールである。本実施形態においては、上述のように、整流ユニット１０３と、力率改善ユニット１０４のダイオード１４２ａ〜１４２ｃ及びスイッチング素子１４３ａ〜１４３ｃと、インバータユニット１０６と、が被冷却素子６０に該当する。各被冷却素子６０は、主として、本体部６１と、複数のリード６２と、を含む。
【００７８】
本体部６１は、各素子を収容する略直方体状のケーシングによって外郭を構成されている。本体部６１は、プリント基板７１に実装された状態において、冷媒ジャケット２９と、プリント基板７１と、の間に位置する。本体部６１の背面部分は、適当な伝熱面積を有するように、冷媒ジャケット本体８０の正面部分と当接している。これにより、被冷却素子６０は、冷媒ジャケット２９と熱的に接続されている。本体部６１は、冷媒ジャケット本体８０の正面部分にネジ８３で締結されることで、冷媒ジャケット２９に固定される。
【００７９】
リード６２は、本体部６１から長手方向に沿って延びる金属製の部材である。リード６２は、設置状態において、水平方向（ここでは前後方向）に沿って延びている。リード６２は、所定の方向（ここでは上下方向）に延びる幅Ｗを有している（図１０を参照）。また、リード６２の厚み方向は、水平方向（ここでは左右方向）に沿って延びている。
【００８０】
リード６２は、本体部６１において、他のリード６２と所定の間隔を置いて所定の方向（ここでは上下方向）に沿って並んでいる。リード６２は、溶接によりプリント基板７１に接合される。リード６２は、本体部６１に収容されている素子、及びプリント基板７１に設けられている配線パターンと、電気的に接続されており、通電時に電流経路を構成する。なお、各リード６２は、他のリード６２と、直接には電気的に接続されていない。
【００８１】
リード６２の一部には、液体の付着を抑制する防湿材９０がコーティングされている（図８から図１０を参照）。具体的には、リード６２は、本体部６１から外部に露出する部分のうち、プリント基板７１に実装された状態において主面７１ａより正面側に位置する部分に、防湿材９０がコーティングされている。すなわち、リード６２は、プリント基板７１に実装された状態において本体部６１とプリント基板７１との間に位置する部分に、防湿材９０がコーティングされている。
【００８２】
本実施形態においては、整流ユニット１０３は４本の、ダイオード１４２ａ〜１４２ｃは２本の、スイッチング素子１４３ａ〜１４３ｃは３本の、インバータユニット１０６は２４本の、リード６２をそれぞれ有している。より詳細には、インバータユニット１０６では、本体部６１の左側から１６本のリード６２が延びており、本体部６１の右側から８本のリード６２が延びている（図１１を参照）。以下の説明においては、説明の便宜上、インバータユニット１０６の、本体部６１の左側から延びる１６本のリード６２のうち、下から上に向かって１番目から１３番目までの１３本のリード６２を「特定リード６２ａ」と称する。
【００８３】
インバータユニット１０６に含まれる各リード６２は、本体部６１から外部に露出する部分において、第１部６２１と、第２部６２２と、を有する（図１０参照）。第１部６２１は、インバータユニット１０６の本体部６１から長手方向（前後方向）に沿って延びる部分である。すなわち、第１部６２１は、外観上、リード６２の「根元部分」に相当する。第２部６２２は、第１部６２１の先端から長手方向（前後方向）に沿って延びる部分である。本実施形態では、第１部６２１の幅Ｗ１は、第２部６２２の幅Ｗ２よりも大きい。
【００８４】
インバータユニット１０６においては、隣接する特定リード６２ａ間の間隔Ｃ１は、他のリード６２間の間隔Ｃ２と比較して、小さくなっている（図１０を参照）。すなわち、特定リード６２ａは、隣接する他の特定リード６２ａと、特に近接している。特に、間隔Ｃ１のうち、隣接する第１部６２１間の間隔Ｃ３は、隣接する第２部６２２間の間隔Ｃ４よりも小さい。本実施形態においては、間隔Ｃ３は１．０ｍｍ（すなわち１．０ｍｍ以下）に設定され、間隔Ｃ４は２．０ｍｍに設定されている。
【００８５】
このように間隔Ｃ３は特に小さいため、特定リード６２ａの第１部６２１に結露水等の液体が付着すると、特定リード６２ａ間における短絡が特に生じやすい。このため、特定リード６２ａの第１部６２１には防湿材９０がコーティングされている。
【００８６】
ここで、本実施形態では、間隔Ｃ３が特に小さいことから、隣接する一対の特定リード６２ａにおいて、第１部６２１間の空間は防湿材９０で埋められている（図１０を参照）。換言すると、間隔Ｃ３は、防湿材９０をコーティングされた場合に、第１部６２１間の空間が防湿材９０で埋められるほど小さい、ともいえる。
【００８７】
（５）冷媒ジャケット２９の詳細
冷媒ジャケット２９は、主として、冷媒ジャケット本体８０と、カバー８５と、を有している。
【００８８】
（５−１）冷媒ジャケット本体８０
冷媒ジャケット本体８０は、被冷却素子６０（１０３、１４２ａ〜１４２ｃ、１４３ａ〜１４３ｃ及び１０６）と熱的に接続される部材である。冷媒ジャケット本体８０は、金属製であり、縦長形状を呈している。冷媒ジャケット本体８０の上部及び下部には、取付部７６が設けられている。冷媒ジャケット本体８０は、各取付部７６を介してプリント基板７１上に固定されている。
【００８９】
冷媒ジャケット本体８０の背面と、プリント基板７１の主面７１ａと、の間には所定距離ｄ１が確保されている。なお、所定距離ｄ１は、設計仕様や設置環境に応じて適宜設定される。本実施形態では、ｄ１は、１２．０ｍｍに設定されている。
【００９０】
冷媒ジャケット本体８０の前面には、冷媒配管（ここでは、液冷媒配管３５）に嵌合する一対の溝部８１が形成されている。溝部８１は、長手方向（ここでは、上下方向）に延びている。溝部８１は、その断面が略円弧状に形成されており、液冷媒配管３５の外周面の一部が嵌合するようになっている。液冷媒配管３５と溝部８１との間には、熱伝導を促進するためのグリスが塗布されている。
【００９１】
冷媒ジャケット本体８０の中央部分（より詳細には一方の溝部８１と他方の溝部８１との間）には、溝部８１と概ね平行に延びる本体中央部８２が形成されている。
【００９２】
冷媒ジャケット本体８０の背面には、被冷却素子６０（１０３、１４２ａ〜１４２ｃ、１４３ａ〜１４３ｃ及び１０６）の本体部６１が、ネジ８３で締結されている。なお、被冷却素子６０は、ネジ８３以外の手段によって冷媒ジャケット本体８０に固定されてもよい。例えば、被冷却素子６０は、接着部材によって冷媒ジャケット本体８０に固定されてもよい。
【００９３】
冷媒ジャケット本体８０の上部及び下部には、カバー８５を仮固定するためのリブ８４が２つずつ設けられている。
【００９４】
（５−２）カバー８５
カバー８５は、金属製や合成樹脂製の部材であり、冷媒配管（ここでは、液冷媒配管３５）が溝部８１に嵌合した状態の冷媒ジャケット本体８０を正面側から覆う。カバー８５は、液冷媒配管３５と溝部８１の当接を保持する役割を担っている。カバー８５は、縦長形状を呈している。
【００９５】
カバー８５の中央部分には、冷媒ジャケット本体８０の本体中央部８２に対向するカバー中央部８６が設けられている。また、カバー８５の上部及び下部には、冷媒ジャケット本体８０のリブ８４を差し込む挿入孔８７が２つずつ形成されている。
【００９６】
カバー８５は、各挿入孔８７に、対応するリブ８４を差し込むことで、冷媒ジャケット本体８０に仮固定される。カバー８５は、冷媒ジャケット本体８０に仮固定された状態で、カバー中央部８６及び本体中央部８２に形成されたネジ孔を介して、冷媒ジャケット本体８０にネジ８８で締結される。
【００９７】
（６）防湿材９０
防湿材９０は、被冷却素子６０において結露水の付着による短絡が生じることを抑制するために、被冷却素子６０のリード６２の一部にコーティングされている。
【００９８】
上述のように、運転時において、被冷却素子６０が動作温度を超えて温度上昇することを抑制するために、被冷却素子６０は冷媒ジャケット２９により冷却される。このため、状況によっては、冷媒ジャケット２９又は被冷却素子６０の温度が、露点温度を下回り、冷媒ジャケット２９又は被冷却素子６０の表面部分に結露水が付着することがある。係る場合に、通電状態にあるリード６２に結露水が付着すると、意図しない短絡が生じて誤動作や故障を招く。係る事態を抑制すべく、防湿材９０がリード６２の一部にコーティングされている。これにより、冷媒ジャケット２９又は被冷却素子６０に結露水が付着した場合でも、リード６２に結露水が付着することは抑制されている。
【００９９】
防湿材９０は、電気的絶縁性及び断熱性を有する公知の合成樹脂塗料が採用され、例えば、エポキシ塗料である。なお、防湿材９０は、電気的絶縁性を有するもので、リード６２にコーティング可能であり、且つ被冷却素子６０の動作を妨げることなく結露水の付着を抑制するものであれば、構成成分や構成態様については特に限定されない。
【０１００】
本実施形態において、防湿材９０は、上述のように、リード６２の本体部６１から外部に露出する部分のうち、プリント基板７１に実装された状態において主面７１ａより正面側に位置する部分にコーティングされている。これにより、結露水が冷媒ジャケット２９又は本体部６１からリード６２方向へ流れた場合でも、リード６２の防湿材９０を被覆されている部分には結露水が付着しないようになっている。
【０１０１】
なお、このように、被冷却素子６０全体やプリント基板７１全体にではなく、リード６２の特定の部分に限って防湿材９０がコーティングされているのは、次の理由による。
【０１０２】
すなわち、被冷却素子６０全体やプリント基板７１全体に防湿材９０をコーティングすると、被冷却素子６０の熱抵抗が増大するとともに冷媒ジャケット２９の伝熱性能が低下する。特に、被冷却素子６０の本体部６１に、防湿材９０がコーティングされると、運転時において被冷却素子６０の放熱量が低下しやすい。このため、状況によっては、被冷却素子６０の温度が動作温度を超えて上昇し、誤動作や故障を招くおそれがある。
【０１０３】
また、被冷却素子６０全体やプリント基板７１全体に防湿材９０をコーティングすると、防湿材９０の使用量に関連して製造コストが増大する。
【０１０４】
一方で、被冷却素子６０が通電状態にある場合において、リード６２の本体部６１から外部に露出する部分のうち主面７１ａより正面側に位置する部分に結露水が付着すると、短絡が生じやすい。また、リード６２の当該部分は本体部６１及び冷媒ジャケット２９に近接しているため、リード６２の当該部分には本体部６１又は冷媒ジャケット２９から結露水が流入しやすい。
【０１０５】
これらの事項に鑑みて、上述のような態様で、防湿材９０がコーティングされている。すなわち、防湿材９０は、被冷却素子６０の、結露水が流入しやすく、短絡が生じやすい部分に限定してコーティングされている。
【０１０６】
本実施形態では、このように、冷媒ジャケット２９には防湿材９０がコーティングされないため、冷媒ジャケット２９の伝熱性能の低下が抑制されている。また、被冷却素子６０の本体部６１には防湿材９０がコーティングされないため、運転時において被冷却素子６０の放熱量が低下することが抑制され、被冷却素子６０の温度が動作温度を超えて上昇することが抑制されている。さらに、プリント基板７１全体に防湿材９０がコーティングされていないため、プリント基板７１の残留電荷チェック等が行いやすくなっており、メンテナンス性が向上している。さらに、リード６２の特定部分に限定して防湿材９０がコーティングされるため、防湿材９０の使用量が抑制され、製造コストの増大が抑制されている。さらに、リード６２の結露水が流入しやすく短絡が生じやすい部分に、防湿材９０がコーティングされることで、高精度に結露水による短絡が抑制されている。
【０１０７】
（７）冷媒ジャケット２９、被冷却素子６０及び防湿材９０の配設方法
図１１は、冷媒ジャケット２９に被冷却素子６０を固定した状態を示す斜視図である。
【０１０８】
被冷却素子６０（１０３、１４２ａ〜１４２ｃ、１４３ａ〜１４３ｃ及び１０６）は、プリント基板７１に実装される前に、図１１に示すような態様で、本体部６１を冷媒ジャケット本体８０の背面部分にネジ８３で締結されることで、冷媒ジャケット２９に固定される。このように、被冷却素子６０が、冷媒ジャケット２９に固定された状態で、プリント基板７１に実装されることにより、組立性が向上する。
【０１０９】
すなわち、プリント基板７１に実装した状態の被冷却素子６０に冷媒ジャケット２９を固定する場合には、本体部６１を、冷媒ジャケット本体８０との適当な伝熱面積を確保しつつ、冷媒ジャケット２９に固定することが難しい。一方で、被冷却素子６０の本体部６１を、プリント基板７１に実装する前に、冷媒ジャケット本体８０との適当な伝熱面積を確保しつつ、冷媒ジャケット本体８０の背面部分にネジ８３で締結することは容易である。また、被冷却素子６０が冷媒ジャケット２９に固定された状態で、リード６２を溶接してプリント基板７１に実装すること、及び冷媒ジャケット２９をプリント基板７１に固定することは、特に難しくない。
【０１１０】
これらの事項に鑑みて、組立性を向上すべく、被冷却素子６０は、プリント基板７１に実装された状態で冷媒ジャケット２９に固定されるのではなく、冷媒ジャケット２９に固定された状態でプリント基板７１に実装されている。
【０１１１】
次に、冷媒ジャケット２９に固定された状態の被冷却素子６０の、各リード６２に防湿材９０をコーティングする。このとき、防湿材９０は、リード６２の、冷媒ジャケット本体８０の背面から後方に向かって所定距離ｄ１（図９参照）の範囲に相当する部分に、コーティングされる。換言すると、防湿材９０は、リード６２の、本体部６１とプリント基板７１との間に位置する部分にコーティングされる。なお、防湿材９０をコーティングする際には、公知の手段を適宜選択すればよい。例えば、防湿材９０は、スポイトオイラーや筆等を用いてリード６２にコーティングされる。
【０１１２】
その後、冷媒ジャケット２９に固定され且つ防湿材９０をコーティングされた状態の被冷却素子６０が、プリント基板７１に実装される。このとき、冷媒ジャケット本体８０を治具等に固定して、溶接等の作業が行われる。
【０１１３】
それから、他の要素をさらに実装したプリント基板７１を、機械室Ｓ２内に配設し、液冷媒配管３５を溝部８１に嵌合させた状態で、冷媒ジャケット本体８０にカバー８５を装着する。
【０１１４】
（８）特徴
（８−１）
上記実施形態では、被冷却素子６０は、本体部６１を冷媒ジャケット２９（冷媒ジャケット本体８０）に固定された状態でリード６２を接合されることでプリント基板７１に実装されている。これにより、冷媒ジャケット２９を備えた空気調和機１の組立性が向上している。すなわち、プリント基板７１に実装された状態の被冷却素子６０を冷媒ジャケット２９に固定する場合、本体部６１を、冷媒ジャケット２９との適当な伝熱面積を確保しつつ、冷媒ジャケット２９に固定するのが難しい。一方で、プリント基板７１に実装される前の被冷却素子６０の本体部６１を、冷媒ジャケット２９との適当な伝熱面積を確保しつつ、冷媒ジャケット２９に固定することは容易である。また、被冷却素子６０が冷媒ジャケット２９に固定された状態において、リード６２を溶接してプリント基板７１に実装すること、及び冷媒ジャケット２９をプリント基板７１に固定することは、特に難しくない。よって、組立性が向上している。
【０１１５】
（８−２）
上記実施形態では、リード６２の一部には、結露水の付着を抑制する防湿材９０がコーティングされている。これにより、冷媒ジャケット２９又は被冷却素子６０に結露水が付着した場合でも、リード６２には結露水が付着しにくくなっており、結露水による短絡が抑制されている。また、冷媒ジャケット２９には、防湿材９０がコーティングされていないため、冷媒ジャケット２９の伝熱性能の低下が抑制されている。また、被冷却素子６０の本体部６１には、防湿材９０がコーティングされていないため、運転時において被冷却素子６０の放熱量が低下することが抑制されている。よって、運転時における被冷却素子６０の冷却が促進されつつ結露水による短絡が抑制されている。また、防湿材９０がプリント基板７１全体にコーティングされていないため、防湿材９０の使用量が抑制されており、製造コスト増大が抑制されている。
【０１１６】
（８−３）
上記実施形態では、リード６２の、プリント基板７１に実装された時に本体部６１とプリント基板７１との間に位置する部分に、防湿材９０がコーティングされている。これにより、リード６２の結露水が流入しやすい部分に、結露水が付着しにくくなっている。
【０１１７】
すなわち、リード６２の、本体部６１とプリント基板７１との間に位置する部分には、冷媒ジャケット２９又は本体部６１から結露水が流入しやすいところ、当該部分に防湿材９０がコーティングされることで結露水が付着しにくくなっている。
【０１１８】
（８−４）
上記実施形態では、本体部６１においては複数のリード６２が間隔をおいて所定方向（上下方向）に並んでおり、リード６２は所定方向（上下方向）に延びる幅Ｗを有している。また、被冷却素子６０の一つであるインバータユニット１０６のリード６２は、第２部６２２の幅Ｗ２よりも大きい幅Ｗ１を有する第１部６２１に、防湿材９０をコーティングされている。これにより、リード６２の、結露水による短絡が生じやすい部分に、結露水が付着しにくくなっている。
【０１１９】
すなわち、リード６２の、第１部６２１（根元部分）には、冷媒ジャケット２９又は本体部６１から結露水が特に流入しやすい。また、第１部６２１の幅Ｗ１は第２部６２２の幅Ｗ２よりも大きいことから、隣接する特定リード６２ａ間において、第１部６２１同士の距離は、第２部６２２同士の距離よりも小さくなっている。このため、特定リード６２ａの第１部６２１に結露水が付着すると、特定リード６２ａ間において短絡が生じやすいところ、第１部６２１には防湿材９０がコーティングされていることで結露水が付着しにくいようになっている。よって、結露水による短絡が高精度に抑制されている。
【０１２０】
（８−５）
上記実施形態では、特定リード６２ａの第１部６２１と、隣接する他の特定リード６２ａの第１部６２１と、の間の空間（間隔Ｃ１）は、防湿材９０で埋められている。これにより、リード６２の、結露水による短絡が特に生じやすい部分に、結露水が付着しにくくなっている。
【０１２１】
すなわち、隣接する特定リード６２ａ間において第１部６２１間の間隔Ｃ１は、互いの空間が防湿材９０で埋められるほど特に小さいため、特定リード６２ａの第１部６２１に結露水が付着すると、特に短絡が生じやすい。しかし、上記実施形態では、特定リード６２ａの第１部６２１と、隣接する他の特定リード６２ａの第１部６２１と、の間の空間が防湿材９０で埋められていることにより、結露水による短絡が特に生じやすい特定リード６２ａの第１部６２１に結露水が付着することが抑制されている。よって、結露水による短絡が高精度に抑制されている。
【０１２２】
（９）変形例
（９−１）変形例Ａ
上記実施形態では、本発明は、冷凍装置としての空気調和機１に適用されたが、これに限定されず、他の冷凍装置に適用されてもよい。例えば、本発明は、給湯器や除湿器等の冷凍装置に適用されてもよい。
【０１２３】
（９−２）変形例Ｂ
上記実施形態では、冷媒ジャケット２９は、電装品ユニット７０に含まれる被冷却素子６０を冷却するために室外ユニット２内に配置されていた。しかし、これに限定されず、冷媒ジャケット２９は、例えば、室内ユニット４に含まれる発熱部品（電子部品）を冷却するために室内ユニット４内に配置されてもよい。係る場合、上記実施形態と同様に、冷媒ジャケット２９で冷却する発熱部品のリードの一部には、防湿材をコーティングされることが好ましい。
【０１２４】
（９−３）変形例Ｃ
上記実施形態では、整流ユニット１０３と、力率改善ユニット１０４のダイオード１４２ａ〜１４２ｃ及びスイッチング素子１４３ａ〜１４３ｃと、インバータユニット１０６と、が冷媒ジャケット２９で冷却する被冷却素子６０に該当した。しかし、冷媒ジャケット２９で冷却する被冷却素子６０については、必ずしもこれに限定されず、他の発熱部品（電子部品）であってもよい。例えば、室外ファンモータ３６ａへ駆動電源を供給する電源回路（図示省略）に含まれる発熱部品を被冷却素子６０としてもよいし、他のＤＣ−ＤＣコンバータ回路などに含まれる発熱部品を被冷却素子６０としてもよい。
【０１２５】
（９−４）変形例Ｄ
上記実施形態では、図５や図６に示すような態様で、被冷却素子６０（１０３、１４２ａ〜１４２ｃ、１４３ａ〜１４３ｃ及び１０６）が配置されていた。しかし、被冷却素子６０の配置態様については、特に限定されず、適宜変更が可能である。例えば、被冷却素子６０は、発熱の程度が高い順に並ぶように配置されてもよい。
【０１２６】
（９−５）変形例Ｅ
上記実施形態では、冷媒ジャケット２９は、長手方向が上下方向（鉛直方向）となるような姿勢で配設されていた。しかし、冷媒ジャケット２９は、長手方向が水平方向（前後方向又は左右方向）となるような姿勢で配設されてもよい。
【０１２７】
（９−６）変形例Ｆ
上記実施形態では、冷媒ジャケット２９は、液冷媒配管３５と溝部８１との当接を補助するカバー８５を有していた。しかし、カバー８５については、必ずしも必要ではなく、省略可能である。
【０１２８】
（９−７）変形例Ｇ
上記実施形態では、冷媒ジャケット２９は、プリント基板７１に固定されていた。しかし、冷媒ジャケット２９は、必ずしもプリント基板７１に固定される必要はない。例えば、冷媒ジャケット２９は、図示しない他の保持具等によって支持されてもよい。
【０１２９】
（９−８）変形例Ｈ
上記実施形態では、インバータユニット１０６における一部のリード６２（特定リード６２ａ）は、隣接するリード６２（特定リード６２ａ）間の空間が防湿材９０で埋められるほど近接していた。しかし、インバータユニット１０６以外の被冷却素子６０についても、隣接するリード６２間の空間が防湿材９０で埋められるほど、リード６２同士が近接していてもよい。
【０１３０】
（９−９）変形例Ｉ
上記実施形態では、インバータユニット１０６に含まれるリード６２は、互いに異なる幅Ｗを有する第１部６２１及び第２部６２２を有していた。しかし、インバータユニット１０６は、第１部６２１及び第２部６２２の幅Ｗに関して、必ずしも第１部６２１の幅Ｗ１が第２部６２２の幅Ｗ２よりも大きくなるように構成される必要はなく、幅Ｗ１と幅Ｗ２とが同一となるように構成されてもよいし、幅Ｗ１が幅Ｗ２よりも小さくなるように構成されてもよい。
【０１３１】
（９−１０）変形例Ｊ
上記実施形態では、インバータユニット１０６以外の被冷却素子６０に含まれるリード６２は、第１部６２１及び第２部６２２を有していなかった。しかし、インバータユニット１０６以外の被冷却素子６０に含まれるリード６２についても、インバータユニット１０６と同様に、第１部６２１及び第２部６２２を有していてもよい。また、係る場合、隣接する第１部６２１間の距離が防湿材９０で埋められるほど近接していてもよい。
【０１３２】
（９−１１）変形例Ｋ
上記実施形態では、隣接する特定リード６２ａ間の間隔Ｃ１のうち、隣接する第１部６２１間の間隔Ｃ３は１．０ｍｍに設定され、隣接する第２部６２２間の間隔Ｃ４は２．０ｍｍに設定されていた。しかし、間隔Ｃ３及び間隔Ｃ４の具体的な数値は、特にこれに限定されず、製品仕様や設置環境に応じて適当な数値を設定されればよい。例えば、間隔Ｃ３は０．７ｍｍ又は１．２ｍｍに設定されてもよく、間隔Ｃ４は１．５ｍｍ又は２．５ｍｍに設定されてもよい。
【０１３３】
（９−１２）変形例Ｌ
上記実施形態では、防湿材９０は、冷媒ジャケット２９に固定された状態の被冷却素子６０にコーティングされていた。しかし、防湿材９０は、冷媒ジャケット２９に固定される前の状態の被冷却素子６０にコーティングされてもよい。すなわち、被冷却素子６０に防湿材９０をコーティングしてから、被冷却素子６０を冷媒ジャケット２９に固定するようにしてもよい。
【０１３４】
また、上記実施形態では、防湿材９０は、プリント基板７１に実装される前の状態の被冷却素子６０にコーティングされていた。しかし、防湿材９０は、プリント基板７１に実装された状態の被冷却素子６０にコーティングされてもよい。すなわち、被冷却素子６０をプリント基板７１に実装してから防湿材９０をコーティングするようにしてもよい。
【０１３５】
（９−１３）変形例Ｍ
上記実施形態では、防湿材９０は、リード６２の、本体部６１とプリント基板７１との間に位置する部分に限定してコーティングされていた。しかし、防湿材９０は、さらに他の部分にコーティングされてもよい。例えば、防湿材９０は、リード６２の、プリント基板７１の背面側に位置する部分（すなわち、プリント基板７１を超えて本体部６１とは反対方向に延びる部分）にもコーティングされてもよい。これにより、結露水による短絡がさらに抑制される。
【０１３６】
（９−１４）変形例Ｎ
上記実施形態では、冷媒ジャケット本体８０の背面と、プリント基板７１の主面７１ａと、の間の所定距離ｄ１は、１２．０ｍｍに設定されていた。しかし、ｄ１は、必ずしも当該数値に限定されず、製品仕様や設置環境に応じて適当な数値を設定されればよい。例えば、ｄ１は、１０．０ｍｍ又は１５．０ｍｍに設定されてもよい。
【産業上の利用可能性】
【０１３７】
本発明は、冷凍装置に利用可能である。
【符号の説明】
【０１３８】
１            ：空気調和機（冷凍装置）
２            ：室外ユニット
１０          ：冷媒回路
２１ａ        ：圧縮機モータ
２９          ：冷媒ジャケット
３５          ：液冷媒配管（冷媒配管）
３７          ：室外制御部
６０          ：被冷却素子（電子部品）
６１          ：本体部
６２          ：リード
６２ａ        ：特定リード
７０          ：電装品ユニット
７１          ：プリント基板（基板）
８０          ：冷媒ジャケット本体
８１          ：溝部
８３          ：ネジ
８５          ：カバー
８７          ：挿入孔
９０          ：防湿材
１００        ：電源回路
１０１        ：外部電源
１０３        ：整流ユニット（電子部品）
１０４        ：力率改善ユニット
１０５        ：平滑ユニット
１０５ａ〜１０５ｃ    ：平滑コンデンサ
１０６        ：インバータユニット（電子部品）
１０７        ：出力ユニット
１４２ａ〜１４２ｃ    ：ダイオード（電子部品）
１４３ａ〜１４３ｃ    ：スイッチング素子（電子部品）
６２１        ：第１部
６２２        ：第２部
【先行技術文献】
【特許文献】
【０１３９】
【特許文献１】特開２０１３−２２５５８２号公報
【特許文献２】特開昭６０−１２４９９０号公報
【図１】
2016109350.tif 000003
【図２】
2016109350.tif 000004
【図３】
2016109350.tif 000005
【図４】
2016109350.tif 000006
【図５】
2016109350.tif 000007
【図６】
2016109350.tif 000008
【図７】
2016109350.tif 000009
【図８】
2016109350.tif 000010
【図９】
2016109350.tif 000011
【図１０】
2016109350.tif 000012
【図１１】
2016109350.tif 000013